(57)【要約】      （修正有）【課題】送球動作の際に、左右非対称な動きに追随して、保護パッド部が折れ曲がり、フィット性が向上する機能を備えた野球、又は、ソフトボールの捕手用プロテクターを提供する。【解決手段】捕手の胸部と腹部を覆う保護パッド２に、送球する腕と反対側の肩から、胸部の体の中心よりも送球する腕側に寄った位置を経て送球する腕側の脇腹に向かう曲げ剛性が低い第１屈曲ライン３ａを設けることにより、送球動作のように、上半部が左右非対称で大きく回転しても、保護パッド２が第１屈曲ライン３ａに沿って折れ曲がるので、捕手の胴部にプロテクター１がフィットし、捕手の運動機能を阻害しない。【選択図】図１
2014124392.tif 000002
【特許請求の範囲】
【請求項１】
捕手の胸部と腹部を覆う保護パッドに、送球する腕と反対側の肩から、胸部の体の中心よりも送球する腕側に寄った位置を経て送球する腕側の脇腹に向かう曲げ剛性が低い第１屈曲ラインを設けたことを特徴とする野球又はソフトボールの捕手用プロテクター。
【請求項２】
曲げ剛性が低い第１屈曲ラインが、保護パッドに形成された凹状溝からなる請求項１記載の野球又はソフトボールの捕手用プロテクター。
【請求項３】
曲げ剛性が低い第１屈曲ラインが、保護パッドを分断して形成されている請求項１記載の野球又はソフトボールの捕手用プロテクター。
【請求項４】
キャッチャーの胸部と腹部を覆う保護パッドに、送球する腕側の肩から胸部の体の中心よりも送球する腕側に寄った位置を経て送球する腕と反対側の脇腹に向かう曲げ剛性が低い第２屈曲ラインを設けた請求項１〜３のいずれかに記載の野球又はソフトボールの捕手用プロテクター。
【請求項５】
前記第１屈曲ラインと第２屈曲ラインに対してほぼ平行に、曲げ剛性が低い複数本の第３の屈曲ラインを設けたことを特徴とする請求項１〜４のいずれかに記載の野球又はソフトボールの捕手用プロテクター。
【請求項６】
前記第１屈曲ラインと第２屈曲ラインと第３の屈曲ラインのうち、第１屈曲ラインの曲げ剛性が最も低く設定されている請求項４又は５に記載の野球又はソフトボールの捕手用プロテクター。
【発明の詳細な説明】
【技術分野】
【０００１】
この発明は、野球又はソフトボールの捕手が主に胸部と腹部を保護するために装着するプロテクターに関するものである。
【背景技術】
【０００２】
野球やソフトボールの捕手は、胸部と腹部を保護するためにプロテクターを装着することが義務付けられている。
【０００３】
この捕手用のプロテクターには、フィット性、動き易さ、緩衝性、低反発、軽量性が求められる。特に、フィット性は、捕球、送球、及びフィールディングなどの捕手のパフォーマンスに直接影響を与えるため特に重要であり、単に身体にフィットするだけではなく、動作しやすいことが求められる。
【０００４】
このため、従来の捕手用プロテクターは、運動動作中における胴部と保護パッド部のフィット性を向上させるために、特許文献１や特許文献２に示すように、胴部を保護する保護パッド部に、複数本の凹状溝を設け、凹状溝によって動作に追随して保護パッド部が折れ曲がり易くする工夫がなされている。
【先行技術文献】
【特許文献】
【０００５】
【特許文献１】特開２００６−２８０４２６号公報
【特許文献２】特開２００２−１７７４３５号公報
【発明の概要】
【発明が解決しようとする課題】
【０００６】
ところで、捕手は、各塁への送球以外にピッチャーへの返球、盗塁の阻止というように、送球動作が多く、送球動作の際には、胴部の上半部を捩じって、肩部を大きく回転させるという左右が非対称な動作となり、この動作により胴部には非常に大きな変形と変位が発生する。
【０００７】
ところが、従来の捕手用プロテクターの保護パッド部を折れ曲がり易くするための凹状溝の配置は、左右対象に配置しているものがほとんどであり、特に、捕手の送球動作の際のフィット性を考慮したものはない。
【０００８】
したがって、従来の捕手用のプロテクターを装着して、送球動作を行うと、プロテクターが、左右非対称な胴部の動きに追随できず、フィット性が欠如するという問題がある。
【０００９】
そこで、この発明は、送球動作の際に、左右非対称な動きに追随して、保護パッド部が折れ曲がり、フィット性が向上する機能を備えた野球又はソフトボールの捕手用プロテクターを提供しようとするものである。
【課題を解決するための手段】
【００１０】
この発明に係る野球又はソフトボールの捕手用プロテクターは、上記の課題を解決するために、捕手の胸部と腹部を覆う保護パッドに、送球する腕と反対側の肩から、胸部の体の中心よりも送球する腕側に寄った位置を経て送球する腕側の脇腹に向かう曲げ剛性が低い第１屈曲ラインを設けたことを特徴とする。
【００１１】
保護パッドを曲げ易くする第１屈曲ラインは、保護パッドを構成する緩衝材に凹状溝を形成したり、緩衝材を分断したり、あるいは凹状溝の底部の緩衝材をより剛性が低い素材にすることによって形成することができる。
【００１２】
ここで、この発明において、屈曲のラインを形成する手段としては、溝で分断して凹みを設ける以外にも、フラットな状態で材料を変えて剛性を変化させる等の手段でもよい。
【００１３】
胸部と腹部を覆う保護パッドに、第１屈曲ライン以外に、送球する腕側の肩から胸部の体の中心よりも送球する腕側に寄った位置を経て送球する腕と反対側の脇腹に向かう曲げ剛性が低い第２屈曲ラインを設けるようにしてもよい。
【００１４】
前記第１屈曲ラインと第２屈曲ラインに対してほぼ平行に、曲げ剛性が低い複数本の第３の屈曲ラインを設けるようにしてもよい。
【００１５】
前記第１屈曲ラインと第２屈曲ラインと第３の屈曲ラインのうち、第１屈曲ラインの曲げ剛性を最も低く設定することが好ましい。
【００１６】
また、この発明に係る野球又はソフトボールの捕手用プロテクターは、前記保護パッドを仕切る複数本の凹状溝の中に、両肩から反対側の両脇腹に向かうＸ字状を描く凹状溝を有し、このＸ字状の凹状溝の交叉部が、胸部の体の中心よりも送球する腕側に寄った胸部に位置することが好ましい。これにより、送球動作時に、捕手の胴体部に左右非対称に発生する引張及び圧縮ひずみ分布に対応したプロテクターの変形が可能となる。
【００１７】
また、この発明に係る野球又はソフトボールの捕手用プロテクターは、前記Ｘ字状の凹状溝のうち、送球する腕側の肩からＸ字状の凹状溝の交叉部までが凸条になだらかに湾曲し、交叉部から投球する腕と反対側の脇腹に向かって凹状になだらかに湾曲し、送球する腕と反対側の肩からＸ字状の凹状溝の交叉部までが凹状になだらかに湾曲し、交叉部から送球する腕側の脇腹に向かって凸状になだらかに湾曲していることが好ましい。これにより、送球動作時における捕手の胴体の変形とプロテクターの変形とがより一層対応する。つまりは、着用時だけに留まらず、動作中のフィット性が向上する。
【発明の効果】
【００１８】
この発明においては、上記のように、捕手の胸部と腹部を覆う保護パッドに、送球する腕と反対側の肩から、胸部の体の中心よりも送球する腕側に寄った位置を経て送球する腕側の脇腹に向かう曲げ剛性が低い第１屈曲ラインを設けることにより、送球動作のように、上半部が左右非対称で大きく回転しても、保護パッドが第１屈曲ラインに沿って折れ曲がるので、捕手の胴部にプロテクターがフィットし、捕手の運動機能を阻害しないという効果を奏する。
【図面の簡単な説明】
【００１９】
【図１】この発明に係る野球又はソフトボールの捕手用プロテクターの実施形態を示す正面図である。
【図２Ａ】図１のＡ−Ａ’線に沿って厚み方向に切断した断面図である。
【図２Ｂ】図１のＡ−Ａ’線に沿って厚み方向に切断した断面図である。
【図２Ｃ】図１のＡ−Ａ’線に沿って厚み方向に切断した断面図である。
【図２Ｄ】図１のＡ−Ａ’線に沿って厚み方向に切断した断面図である。
【図２Ｅ】図１のＡ−Ａ’線に沿って厚み方向に切断した断面図である。
【発明を実施するための形態】
【００２０】
この発明に係る野球又はソフトボールの捕手用プロテクター１を、右投げの場合を例にして具体的に説明する。
【００２１】
図１に示すこの発明に係るプロテクター１は、正面から見た状態を示している。
【００２２】
捕手用プロテクター１は、身体の胸部と腹部を覆う保護パッド２を備えている。
【００２３】
保護パッド２は、表皮２ａと裏生地２ｂの間に、緩衝材２ｃを収容して形成されている。
【００２４】
表皮２ａと裏生地２ｂは、人工皮革、天然皮革、あるいは布素材によって形成されている。
【００２５】
緩衝材２ｃは、ポリエチレン、ポリウレタン、ＥＶＡ樹脂などの発泡体や、他のクッション材、等からなる。
【００２６】
保護パッド２には、捕球、送球、及びフィールディングなどの捕手のパフォーマンスを妨げないように、捕手の動作に応じて屈曲するように多数本の屈曲ライン３を設けて、捕手の身体へのフィット性を確保している。
【００２７】
保護パッド２に設けた多数本の屈曲ライン３のうち、この発明は、特に、左側の肩から、胸部の体の中心よりも右腕側に寄った位置を経て右腕側の脇腹に向かう屈曲ライン３を、曲げ剛性が低い第１屈曲ライン３ａとして、投球動作の際のフィット性を確保している。
【００２８】
第１屈曲ライン３ａは、図１に一点鎖線で示しており、正確には、送球動作の際に、捕手の胸部に生じる圧縮ひずみ分布における変形状態が大きく変化する境界線であり、左肩峰端近傍の点Ｐ２を通り、右乳頭近傍の点Ｐ５を経て、右第１１肋骨骨端近傍の点Ｐ３に至り、Ｐ２からＰ５までのラインが、凹状になだらかに湾曲し、Ｐ５からＰ３までのラインが、凸状になだらかに湾曲している。
【００２９】
また、図１の実施形態では、第１屈曲ライン３ａの他に、送球動作の際のフィット性をより向上させるために、右腕側の肩から胸部の体の中心よりも右腕側に寄った位置を経て左腕側の脇腹に向かう曲げ剛性が低い第２屈曲ライン３ｂを設けている。
【００３０】
第２屈曲ライン３ｂも、図１に二点鎖線で示しており、正確には、送球動作の際に、捕手の胸部に生じる引張ひずみ分布における変形状態が大きく変化する境界線であり、右肩峰端近傍の点Ｐ１を通り、右乳頭近傍の点Ｐ５を経て、左第１１肋骨骨端近傍の点Ｐ４に至り、Ｐ１からＰ５までのラインが、凸状になだらかに湾曲し、Ｐ５からＰ４までのラインが、凹状になだらかに湾曲している。
【００３１】
送球動作の際のフィット性に最も重要な屈曲ライン３は、第１屈曲ライン３ａであり、屈曲ライン３の曲げ剛性は、第１屈曲ライン３ａの曲げ剛性が最も低く、即ち、最も曲がり易くする構成が望ましい。
【００３２】
即ち、第１屈曲ライン３ａと第２屈曲ライン３ｂとの曲げ剛性の関係は、第１屈曲ライン３ａ≦第２屈曲ライン３ｂ、第１屈曲ライン３ａと屈曲ライン３との曲げ剛性の関係は、第１屈曲ライン３ａ≦屈曲ライン３にすることが好ましい。
【００３３】
第１屈曲ライン３ａ、第２屈曲ライン３ｂ、他の屈曲ライン３の３者間の曲げ剛性の関係は、第１屈曲ライン３ａ≦第２屈曲ライン３ｂ≦屈曲ライン３、より好ましくは、第１屈曲ライン３ａ＜第２屈曲ライン３ｂ＜屈曲ライン３である。
【００３４】
図１の実施形態では、第１屈曲ライン３ａと第２屈曲ライン３ｂ以外の他の屈曲ライン３の複数本が、第１屈曲ライン３ａと第２屈曲ライン３ｂに対してほぼ平行に沿うように設けている。
【００３５】
上記第１屈曲ライン３ａ、第２屈曲ライン３ｂ、屈曲ライン３は、保護パッド２をラインに沿って曲げ易くするためのものであり、例えば、表皮２ａと裏生地２ｂの間に挿入した緩衝材２ｃに凹状溝を形成したり、緩衝材２ｃを分断したり、あるいは凹状溝の底部の緩衝材２ｃをより剛性が低い素材にすることによって形成することができる。
【００３６】
図２Ａ〜図２Ｅは、図１のＡ−Ａ’線に沿って厚み方向に切断した断面を示している。
【００３７】
図２Ａは、表皮２ａと裏生地２ｂの間に挿入した緩衝材２ｃに凹状溝を設けて曲げ剛性を低くした実施形態であり、第１屈曲ライン３ａの凹状溝が、他の第２屈曲ライン３ｂと屈曲ライン３の凹状溝よりも深く形成され、第１屈曲ライン３ａの曲げ剛性が最も低くなるようにしている。第２屈曲ライン３ｂは、第３の屈曲ライン３の凹状溝よりも深く形成され、屈曲ライン３の曲げ剛性よりも第２屈曲ライン３ｂの曲げ剛性が低くなるようにしている。
【００３８】
図２Ｂは、表皮２ａと裏生地２ｂの間に挿入した緩衝材２ｃを、第１屈曲ライン３ａと第２屈曲ライン３ｂで分断した実施形態であり、第１屈曲ライン３ａと第２屈曲ライン３ｂに沿ってより曲がり易くしている。
【００３９】
図２Ｃは、表皮２ａと裏生地２ｂの間に挿入した緩衝材２ｃを、第１屈曲ライン３ａと第２屈曲ライン３ｂで分断し、さらに、第１屈曲ライン３ａと第２屈曲ライン３ｂの部分の裏生地２ｂを低剛性素材２ｄで形成した実施形態であり、第１屈曲ライン３ａに沿ってより曲がり易くしている。
【００４０】
図２Ｄは、表皮２ａと裏生地２ｂの間に挿入した緩衝材２ｃに凹状溝を設けて曲げ剛性を低くし、第１屈曲ライン３ａと第２屈曲ライン３ｂの凹状溝の底部と裏生地２ｂの間に、緩衝材２ｃよりも低剛性の緩衝材２ｅを収容し、第１屈曲ライン３ａと第２屈曲ライン３ｂの曲げ剛性を他の屈曲ライン３の曲げ剛性よりも低くした実施形態を示している。
【００４１】
図２Ｅは、表皮２ａと裏生地２ｂの間に挿入した緩衝材２ｃを、第１屈曲ライン３ａに沿って分断し、第１屈曲ライン３ａの表皮２ａと裏生地２ｂの間に低剛性の緩衝材２ｅを収容し、さらに、第２屈曲ライン３ｂに沿って形成した凹状溝の底部と裏生地２ｂの間に、緩衝材２ｃよりも低剛性の緩衝材２ｅを収容し、第１屈曲ライン３ａと第２屈曲ライン３ｂの曲げ剛性を他の屈曲ライン３の曲げ剛性よりも低くした実施形態を示している。
【符号の説明】
【００４２】
１  捕手用プロテクター
２  保護パッド
２ａ  表皮
２ｂ  裏生地
２ｃ  緩衝材
２ｄ  低剛性素材
２ｅ  緩衝材
３  屈曲ライン
３ａ  第１屈曲ライン
３ｂ  第２屈曲ライン
【図２Ａ】
2014124392.tif 000003
【図２Ｂ】
2014124392.tif 000004
【図２Ｃ】
2014124392.tif 000005
【図２Ｄ】
2014124392.tif 000006
【図２Ｅ】
2014124392.tif 000007
【図１】
2014124392.tif 000008